(57)【要約】      （修正有）【課題】天板の端面のエッジが露出しないように構成することにより、製造時に天板の外周縁の端部処理が不要な水栓装置を提供する。【解決手段】水栓装置は、金属製の天板４と、この天板４の左右方向の端部に接合される樹脂製の側壁部５７を有する外郭部５とを備えている。側壁部５７の上端は、天板４の端部の上面側のエッジよりも上方に突出している。【選択図】図１
2015086661.tif 000002
【特許請求の範囲】
【請求項１】
金属製の天板と、
この天板の左右方向の端部に接合される樹脂製の側壁部を有する外郭部と
を備え、
前記側壁部の上端は、前記天板の端部の上面側のエッジよりも上方に突出している
ことを特徴とする水栓装置。
【発明の詳細な説明】
【技術分野】
【０００１】
本発明は、水栓装置に関する。
【背景技術】
【０００２】
特許文献１には、従来の水栓装置が開示されている。この特許文献１記載の水栓装置は、水栓本体と、水栓本体を上方から覆う上カバーを備えている。上カバーは、天板と、側壁とを備えている。天板の外周縁は、側壁の側面よりも側方に突出している。
【先行技術文献】
【特許文献】
【０００３】
【特許文献１】特開２０１３−４０５４６号公報
【発明の概要】
【発明が解決しようとする課題】
【０００４】
ところで、特許文献１記載の上カバーは、天板の外周縁が側壁の側面よりも側方に突出しているため、端面がむき出しとなっている。このように、特許文献１記載の水栓装置は、天板のエッジが露出するため、上カバーの製造時に天板の外周縁を端部処理しなくてはならないという問題がある。
【０００５】
本発明は、上記事情に鑑みてなされたものであり、その目的とするところは、天板の端面のエッジが露出しないように構成された水栓装置を提供することにある。
【課題を解決するための手段】
【０００６】
本発明の水栓装置は、金属製の天板と、この天板の左右方向の端部に接合される樹脂製の側壁部を有する外郭部とを備え、前記側壁部の上端は、前記天板の端部の上面側のエッジよりも上方に突出していることを特徴とする。
【発明の効果】
【０００７】
本発明の水栓装置によれば、金属製の天板の端面が樹脂製の側壁部に当たるため、樹脂製の側壁部の端面は露出するが金属製の天板の端面は露出しないようにでき、すなわち、鋭利な天板端面のエッジが露出しないようにできる。
【図面の簡単な説明】
【０００８】
【図１】本実施形態の水栓装置の要部斜視図である。
【図２】本実施形態の水栓装置の分解斜視図である。
【図３】本実施形態の収納ケースの正面側から見た斜視図である。
【図４】本実施形態の収納ケースの背面側から見た斜視図である。
【図５】本実施形態の水栓装置の断面概略図である。
【図６】本実施形態の天板の斜視図である。
【図７】本実施形態の操作部を分解した斜視図である。
【図８】本実施形態のケーシングの斜視図である。
【図９】本実施形態の水栓装置が取り付けられる前の壁面を示す斜視図である。
【図１０】本実施形態の水栓装置を壁面に固定した状態の斜視図である。
【図１１】本実施形態の水栓装置の斜視図である。
【発明を実施するための形態】
【０００９】
以下、本発明の実施形態について添付図面に基づいて説明する。
【００１０】
本実施形態の水栓装置は、浴室の壁面に取り付けられるシャワー付きの湯水混合栓である。水栓装置は、図１に示すように、上面に金属製の天板４が設けられている。天板４の左右方向の両端には、樹脂製の外郭部５の側壁部５７が配置される。水栓装置は、図２に示すように、収納ケース１と、天板４と、外郭部５と、配管カバー６とを備えている。
【００１１】
収納ケース１は、図３に示すように、上面部１１，側面部２１，背面部２４，正面部２０，及び底面部２２を有する合成樹脂製の箱体によって構成される。上面部１１と側面部２１と正面部２０と底面部２２とは一体成形されており（以下、この成型物を収納ケース本体という）、後方に開口している。この開口の周縁に、背面部２４が固着具（例えば、ビス）を介して固定される。
【００１２】
上面部１１は、上板１２と、上板１２の上面に設けられたリブ部１３と、上板１２の後端から立ち上げられた立設部１６と、上板１２の前端に設けられた覆い部１７とを備えている。上板１２は、前後方向に幅を有し、左右方向に長さを有し、平面視矩形状をしている。リブ部１３は、前後方向に長さを有しており、上板１２の上面から突出している。リブ部１３は、大リブ１４と、小リブ１５とを有しており、各リブが左右方向に一定のピッチで並んでいる。大リブ１４は、小リブ１５よりも突出高さが大きく形成されている。立設部１６は、左右方向に長さを有している。立設部１６の上端は、大リブ１４の上端と同じ高さに位置している。覆い部１７は、断面逆Ｌ字状に形成されており、天板４の前端がはめ込まれて連結される。覆い部１７は、上板１２の前端に設けられている。覆い部１７は、上板１２の左右方向の全長に亙って設けられている。
【００１３】
小リブ１５の間の立設部１６の前面に沿った箇所には、バックアップ片１８が配置される。バックアップ片１８は、金属片によって構成される。バックアップ片１８には、雌ねじ１９が設けられる。立設部１６における雌ねじ１９に対応する箇所には貫通孔４８が設けられており、当該貫通孔４８には、天板４に通された固着具が挿通される。この固着具は、バックアップ片１８にねじ込まれることで、天板４を立設部１６に固定する。
【００１４】
正面部２０は、上面部１１の前端に設けられている。正面部２０は、前方に向かうほど下方に位置するように傾斜しており、これにより、その前面が前斜め上方に臨んでいる。正面部２０には、操作部５１が取り付けられる。
【００１５】
側面部２１は、上面部１１の左右方向の両端に設けられている。また底面部２２は、正面部２０の下端から側面部２１の下端に亙って設けられている。底面部２２は、側面部２１の下端縁に沿った断面形状をしており、本実施形態においては段状に形成されている。底面部２２には、吐出口２３が設けられている。また底面部２２の下端部（最も下方に位置する下面）には、給湯管８１を挿通するための挿通孔（図示せず）と、給水管８２を挿通するための挿通孔（図示せず）が設けられている。
【００１６】
背面部２４は、収納ケース１本体の後方開口を水密的に覆う。背面部２４は、図４に示すように、左右方向に長さを有し、上下方向に幅を有し、背面視矩形状をしている。背面部２４には、収納ケース１内部の制御部３０の電気配線（給電用のハーネス）を取り出すための配線用孔２５が形成されている。なお、背面部２４は、収納ケース１本体の開口周縁に固着具を介して固定される。
【００１７】
このような構成の収納ケース１には、図５に示すように、制御部３０と、この制御部３０に駆動制御される吐水機構部３１とが収納される。吐水機構部３１は、流量センサー３２、湯水混合弁３３、吐水用の弁３４、流路切替弁３５を備えている。
【００１８】
湯水混合弁３３には、給湯管８１と給水管８２とが接続される。湯水混合弁３３は、流入した湯と水との混合割合を変えて、任意の温度の吐水を生成する。湯水混合弁３３は、制御部３０に電気的に接続されており、制御部３０によって制御される。
【００１９】
吐水用の弁３４は、湯水混合弁３３によって生成された吐水の吐水・止水を切り替える。また、吐水用の弁３４は、吐水の流量を変更する。吐水用の弁３４は、制御部３０に電気的に接続されており、制御部３０によって制御される。制御部３０は、流量センサー３２から入力された流量値に基づいて、吐水用の弁３４を制御する。吐水用の弁３４は、例えば電磁弁によって構成される。
【００２０】
流路切替弁３５は、シャワー吐水にするか、カラン吐水にするかを切り替えるための弁である。流路切替弁３５は、制御部３０に電気的に接続されており、制御部３０によってシャワー吐水とカラン吐水との切り替えが制御される。
【００２１】
吐水機構部３１は、流量センサー３２・湯水混合弁３３・吐水用の弁３４・流路切替弁３５の順に、上流側から配管を介して接続されている。この配管は、例えば、銅管であってもよいし、フレキシブル配管であってもよい。
【００２２】
制御部３０は、操作部５１に電気的に接続される。制御部３０は、操作部５１からの信号が入力されると、吐水機構部３１に制御信号を出力し、これにより吐水機構部３１を制御する。制御部３０は、例えば、制御基板に実装されたマイクロプロセッサを主構成要素とする。
【００２３】
このような収納ケース１には、天板４が載設される。天板４は、天面部４１と、固定部４５とを備えている。天面部４１と固定部４５とは、金属板を曲げ加工することで形成されており、両者は一体に形成される。
【００２４】
天面部４１は、収納ケース１の上面部１１の上に配置される。天面部４１は、平坦部４２と、下り傾斜部４３と、段部４４とを備えている。平坦部４２は、収納ケース１上に取り付けられると、水平状に配置される。これにより、ユーザーは、平坦部４２に小物を載置することができる。下り傾斜部４３は、平坦部４２の前端に設けられている。下り傾斜部４３は、前方に向かうほど下方に位置するように傾斜している。段部４４は、断面Ｌ字状に形成されており、下り傾斜部４３の前端に設けられている。
【００２５】
固定部４５は、天面部４１の後端部から下方に向かって突出しており、言い換えると、天面部４１の後端部に設けられている。固定部４５は、浴室の壁面に固定される。固定部４５は、左右方向に幅を有し、上下方向に長さを有し、正面視矩形状に形成された固定板によって構成される。固定部４５は、壁面に取り付けられたハンガー７に掛け止めされる第一固定孔４６と、壁面にねじ込まれる固着具を挿通するための第二固定孔４７とが設けられている。また、固定部４５には、収納ケース１を固定する固着具を通すための貫通孔４８が設けられている。なお、貫通孔４８は、固定部４５の左右方向に所定ピッチで複数箇所に設けられ、且つ、上下方向に離れて設けられている。なお、図中の符号４９は、シャワー配管を固定するための支持片である。
【００２６】
天板４は次のようにして収納ケース１に固定される。製造者は、天板４の天面部４１の段部４４の先端を、収納ケース１の覆い部１７に差し込み、天板４の固定部４５の前面を収納ケース１の背面部２４の後面に当てた状態に配置する。この状態で製造者は、天板４の固定部４５の貫通孔４８に固着具を挿入し、固定部４５と収納ケース１とを連結する。これにより、天板４は収納ケース１に固定される。
【００２７】
天板４が収納ケース１に固定されると、天板４の天面部４１の下面は、収納ケース１の大リブ１４の上端面に当たり、小リブ１５の上端面に近接対向する。これにより、水栓装置の設置状態では、収納ケース１の上面部１１が天板４の天面部４１を支持するように構成されている。
【００２８】
天板４が固定された収納ケース１には、外郭部５が取り付けられる。外郭部５は、収納ケース１の前方および下方を覆う。外郭部５は、図２に示すように、操作部５１と、ケーシング５４とを備えている。
【００２９】
操作部５１は、図７に示すように、収納ケース１の正面部２０に沿って配置される。操作部５１は、表示部５２と、押しボタン５３と、この表示部５２および押しボタン５３を保持する基台部５０とを備えている。
【００３０】
表示部５２は、液晶パネルによって構成されており、制御部３０によって表示が制御される。押しボタン５３は、上述のように、タクタイルスイッチによって構成されている。押しボタン５３は、押圧操作されると、制御部３０に信号を出力するように構成されている。
【００３１】
基台部５０は、押しボタン５３を進退自在に保持し、また表示部５２を固定的に保持する。基台部５０は、押しボタン５３と表示部５２とが取り付けられる取付部５００と、取付部５００の上端から水平方向に突出した突条部５０１とを備えている。突条部５０１は、収納ケース１の覆い部１７の上方に配置され、これにより、天板４の段部４４上に収容配置される。このとき、突条部５０１の上面は、図１に示すように、天面部４１の上面に面一となるように配置される。
【００３２】
ケーシング５４は、収納ケース１の下端部を前方から覆う。ケーシング５４は、合成樹脂によって構成される。ケーシング５４は、図８に示すように、側壁部５７と、前壁部５８とを備えている。側壁部５７は、天板４の左右方向の両側に配置される。側壁部５７の内面には、天板４に対して位置決めするための位置決め部５９が設けられている。位置決め部５９は、側壁部５７の外縁部に沿って設けられた段状の凹み部によって構成される。
【００３３】
また、ケーシング５４の側壁部５７の内面には、取付爪５６が設けられている。ケーシング５４は、この取付爪５６を介して、収納ケース１に取り付けられる。前壁部５８には、吐出口２３を挿通するための開口部５５が設けられている。
【００３４】
ケーシング５４は、収納ケース１に取り付けられると、側壁の位置決め部が天板４の左右方向の端縁に位置決めされ、開口部５５に収納ケース１の吐出口２３が挿通される。この状態では、図１に示すように、側壁部５７の上端は、天板４の左右方向の端部の上面側のエッジよりも上方に突出しており、これにより、側壁部５７は天板４の端面のエッジを隠ぺいする。なお、側壁部５７の上端面は、天板４の天面部４１の上面よりも約１．５ｍｍ上方に位置するように構成されている。
【００３５】
このように、ケーシング５４は、天板４の天面部４１と固定部４５とによって、上下方向と左右方向に位置決めされるため、安定した状態で取り付けられる。
【００３６】
配管カバー６は、図２に示すように、外郭部５のケーシング５４の下端部に取り付けられる。配管カバー６は、浴室の壁内から浴室内に向かって配管された給湯管８１および給水管８２を覆うカバーである。配管カバー６は、ケーシング５４に取り付けられると、配管カバー６の前面はケーシング５４の前面に面一となり、配管カバー６の側面はケーシング５４の側面と面一となる。
【００３７】
このような構成の水栓装置は、次のようにして取り付けられる。
【００３８】
施工者は、図９に示すように、壁面にハンガー７を固定する。ハンガー７は、固定片７１と係止片７２とから構成されている。係止片７２は、固定片７１の上端に設けられている。係止片７２は、壁面に固定片７１が固定されると、壁面と隙間を介して配置される。なお、図中の符号８１は浴室に予め配管された給湯管であり、符号８２は浴室に予め配管された給水管８２である。
【００３９】
次いで、施工者は、天板４の固定部４５をハンガー７に固定する（図１０）。施工者は、天板４の固定部４５に設けられた第一固定孔４６をハンガー７の係止片７２に上方から差し込む。施工者は、この状態で第二固定孔４７に固着具を挿入し、固定部４５と壁とを固定する。この後、施工者は、給湯管８１と給水管８２とを、水栓装置側の給湯管８１と給水管８２とにそれぞれ接続する。
【００４０】
次いで、施工者は、配管カバー６を設置する（図１１）。これにより、水栓装置の壁面への設置が完了する。
【００４１】
以上、説明したように、本実施形態の水栓装置は、金属製の天板４と、この天板４の左右方向の端部に接合される樹脂製の側壁部５７を有する外郭部５とを備えている。側壁部５７の上端は、天板４の端部の上面側のエッジよりも上方に突出している。
【００４２】
本実施形態の水栓装置によれば、金属製の天板４の左右方向の端部のエッジが、樹脂製の側壁部５７によって覆われる。このため、本実施形態の水栓装置は、金属製の天板４のエッジが露出しない構造とすることができるため、天板４の端面処理を省略することも可能である。
【００４３】
しかも、本実施形態の側壁部５７の上端面は上方に臨んでおり、天板４の上方を覆うためにＬ字状に曲げられた形状とはなっていないから、ケーシング５４の形状が複雑になるのを回避することができる。
【００４４】
また、本実施形態の天板４の前端は、収納ケース１の覆い部１７に覆われている。覆い部１７は、収納ケース１の左右方向の全長に亙って設けられている。このため、天板４の前端のエッジも覆い部１７によって覆われており、外部に露出しない。このように、本実施形態の水栓装置によれば、天板が金属製であっても、外周の端面が全周に亙って露出しないため安全である。また、端部処理を省略しても鋭利なエッジが露出しないため、端部処理を省略することが可能であり、この場合、製造工程を削減することができる。
【符号の説明】
【００４５】
１      収納ケース
１１    上面部
２０    正面部
２１    側面部
２２    底面部
２３    吐出口
２４    背面部
３０    制御部
３１    吐水機構部
４      天板
４１    天面部
４５    固定部
５      外郭部
５１    操作部
５２    表示部
５３    押しボタン
５４    ケーシング
５７    側壁部
５８    前壁部
５９    位置決め部
６      配管カバー
７      ハンガー
【図１】
2015086661.tif 000003
【図２】
2015086661.tif 000004
【図３】
2015086661.tif 000005
【図４】
2015086661.tif 000006
【図５】
2015086661.tif 000007
【図６】
2015086661.tif 000008
【図７】
2015086661.tif 000009
【図８】
2015086661.tif 000010
【図９】
2015086661.tif 000011
【図１０】
2015086661.tif 000012
【図１１】
2015086661.tif 000013